【手続補正書】
【提出日】平成25年11月13日(2013.11.13)
【手続補正１】
【補正対象書類名】明細書
【補正対象項目名】００１２
【補正方法】変更
【補正の内容】
【００１２】
本装置は、ドラム形担持体を固定位置に維持した状態で、第１の担持体表面を第１の平面内で並進および回転させるための位置合わせ設備をさらに有する。本装置は、第１主動作モードの第１および第２サブモードのそれぞれにおいて、第２のシートの第１の位置合わせマークに対する第１のシートの第１の位置合わせマークの第１の相対位置を求め、さらに第２のシートの第２の位置合わせマークに対する第１のシートの第２の位置合わせマークの第２の相対位置を求めるための感知システムをさらに有する。
【手続補正２】
【補正対象書類名】明細書
【補正対象項目名】００２３
【補正方法】変更
【補正の内容】
【００２３】
本発明の第２の態様によると、第１および第２の位置合わせマークをそれぞれ有する第１および第２のシートを積層するための方法が提供される。本方法は、
−第１の平面に延在する第１の担持体表面に第１のシートを貼り付ける工程と、
−ドラム形担持体の外面によって形成された第２の担持体表面に第２のシートを貼り付ける工程であって、ドラム形担持体は第１の平面から離れた位置に配置された回転軸を有する、工程と、
−第２のシートの第１の位置合わせマークが第１のシートに面する回転位置にドラム形担持体がその回転軸を中心としてある状態で、第１のシートの第１の位置合わせマークが第２のシートの第１の位置合わせマークに面するまで、第１の担持体表面とドラム形担持体との間の相対移動を加え、その後に前記第２の位置合わせマーク同士が一致するまで、前記第１のシートの前記第１の位置合わせマークを通る軸を中心として前記第１の担持体表面を回転させる工程と、
−第２のシートの第２の位置合わせマークが第１のシートに面する回転位置にドラム形担持体がその回転軸を中心としてある状態で、第１のシートの第２の位置合わせマークが第２のシートの第２の位置合わせマークに面するまで、第１の担持体表面とドラム形担持体との間の相対移動を加える工程と、
−ドラム形担持体を第１の担持体表面の方向に移動させる工程と、
−第１および第２のシートを互いに積層するために、ドラム形担持体を第１の担持体表面上で転動させる工程と、
を含む。
【手続補正３】
【補正対象書類名】特許請求の範囲
【補正対象項目名】請求項１
【補正方法】変更
【補正の内容】
【請求項１】
第１および第２の位置合わせマークをそれぞれ有する第１および第２のシート（１、２）を積層するための装置であって、前記装置は、
−前記第１のシート（１）を担持するために第１の平面上に延在する第１の担持体表面（１２）を有する平板状担持体（１０）と、
−前記第２のシート（２）を担持するために円筒状ドラム形担持体（２０）の外面によって形成された第２の担持体表面（２２）であって、前記ドラム形担持体（２０）は前記第１の平面と位置合わせされた第１の方向（Ｘ）に配置された回転軸（２４）を有する、第２の担持体表面（２２）と、
−前記第１の平面と位置合わせされた前記回転軸に対して前記第１の担持体表面を前記第１の方向（Ｘ）に直角な第２の方向（Ｙ）に並進させるための第１の並進設備（１４）と、
−前記ドラム形担持体を前記回転軸を中心に回転させるための回転設備（２６）と、
−前記第１の担持体表面（１２）に対して前記ドラム形担持体（２０）を前記第１の平面に直角な第３の方向（Ｚ）に並進させるための第２の並進設備（２８）と、を備え、
−前記装置は、前記ドラム形担持体（２０）が前記第１の担持体表面（１２）から前記第３の方向（Ｚ）に離れた位置にある第１主動作モードと、前記第１および前記第２のシート（１、２）を互いに接触させるために前記ドラム形担持体（２０）が第１の担持体表面に近い位置にある第２主動作モードとを有し、
−前記第１主動作モードは第１および第２サブモードを有し、前記第１サブモードにおいて、前記ドラム形担持体（２０）の前記回転軸（２４）は、前記第１の担持体表面に対して前記第２の方向（Ｙ）に第１の位置（ｙ１）を有し、前記ドラム形担持体はその回転軸（２４）を中心として第１の回転角（α１）を有し、前記第２サブモードにおいて、前記ドラム形担持体（２０）の前記回転軸（２４）は、前記第１の担持体表面に対して前記第２の方向（Ｙ）に第２の位置（ｙ２）を有し、前記ドラム形担持体（２０）はその回転軸（２４）を中心として、前記第１の回転角とは異なる第２の回転角（α２）を有し、前記第１および前記第２の位置間の相対距離は前記回転角の差によって画定された前記ドラム形担持体の角度範囲の外周に対応し、
前記装置は、
−前記ドラム形担持体（２０）を固定位置に維持した状態で、前記第１の担持体表面（１２）を前記第１の平面内で並進および回転させるための位置合わせ設備（１６）と、
−前記第１主動作モードの前記第１および前記第２サブモードにおいて、前記第２のシート（２）の前記第１の位置合わせマーク（２ａ）に対する前記第１のシート（１）の前記第１の位置合わせマーク（１ａ）の第１の相対位置を求め、前記第２のシート（２）の前記第２の位置合わせマーク（２ｂ）に対する前記第１のシート（１ｂ）の前記第２の位置合わせマークの第２の相対位置を求めるための感知システム（３０）と、
−前記第１および前記第２の相対位置の示度を受信して前記示度に基づき前記位置合わせ設備（１６）を制御するための制御設備（４０）と、
を備え、
−前記制御設備（４０）は前記第１動作モードにおいて、前記第１および前記第２のシートの前記第１の位置合わせマークを互いに位置合わせし、前記第１および前記第２のシートの前記第２の位置合わせマークを互いに位置合わせするために前記位置合わせ設備を制御し、
前記制御設備（４０）は、前記第２主動作モードにおいて、前記ドラム形担持体に前記第１の担持体表面上で回転運動またはこれと等価な運動を行わせるために、前記並進設備（１４）と前記回転設備（２６）とを制御する、
装置。
【手続補正４】
【補正対象書類名】特許請求の範囲
【補正対象項目名】請求項９
【補正方法】変更
【補正の内容】
【請求項９】
第１および第２の位置合わせマークをそれぞれ有する第１および第２のシートを積層する方法であって、
−第１の平面に延在する第１の担持体表面に前記第１のシートを貼り付ける工程（Ｓ１Ａ）と、
−ドラム形担持体の外面によって形成された第２の担持体表面に前記第２のシートを貼り付ける工程であって、前記ドラム形担持体は前記第１の平面から離れた位置に配置された回転軸を有する、工程（Ｓ１Ｂ）と、
−前記ドラム形担持体をその回転軸を中心に第１の回転位置まで回転させる工程であって、前記第２のシートの前記第１の位置合わせマークが前記第１のシートに面する、工程と、
−前記ドラム形担持体が前記第１の回転位置にある状態で、前記第１のシートの前記第１の位置合わせマークが前記第２のシートの前記第１の位置合わせマークに面するまで、前記第１の担持体表面と前記ドラム形担持体との間の相対運動を加える工程（Ｓ２）と、
−前記ドラム形担持体をその回転軸を中心に第２の回転位置まで回転させ、さらに前記第１および前記第２の回転位置の間の回転角の差によって画定される前記ドラム形担持体の角度範囲の外周に対応する相対距離にわたって前記回転軸を並進させる工程と、
−前記ドラム形担持体が前記第２の回転位置にある状態で、前記第１のシートの前記第２の位置合わせマークが前記第２のシートの前記第２の位置合わせマークに面するまで、前記第１の担持体表面と前記ドラム形担持体との間の相対運動を加え、その後に前記第２の位置合わせマーク同士が一致するまで、前記第１のシートの前記第１の位置合わせマークを通る軸を中心として前記第１の担持体表面を回転させる工程（Ｓ３）と、
−前記ドラム形担持体を前記第１の担持体表面の前記方向に移動させる工程（Ｓ４）と、
−前記第１および前記第２のシートを互いに貼り合わせるために前記ドラム形担持体を前記第１の担持体表面上で転動させる工程（Ｓ５）と、
を含む方法。